【事件の表示】
　特願２０００−２６７３９３「印刷制御装置、印刷制御方法、記憶媒体」拒絶査定不服審判事件〔平成１４年　３月１９日出願公開、特開２００２−　７９７１６〕について、次のとおり審決する。
【結　論】
　本件審判の請求は、成り立たない。
【理　由】
　
第１．手続の経緯
　本願は、平成１２年９月４日の出願であって、平成２０年４月３０日付けの拒絶理由通知に対して、同年７月１日付けで手続補正がなされたが、同年１０月６日付けで拒絶査定がなされ、これに対し、同年１１月１０日付けで拒絶査定不服審判の請求がなされるとともに、同年１２月１０日付けで明細書に係る手続補正がなされたものである。
　さらに、審査官により作成された前置報告書について審尋がなされたところ、審判請求人から平成２２年３月４日付けで回答書が提出されたものである。
　
　
第２．平成２０年１２月１０日付けの手続補正についての補正却下の決定
［補正却下の決定の結論］
　平成２０年１２月１０日付けの手続補正（以下「本件補正」という。）を却下する。
［理由］
１．補正の内容
　本件補正は、特許請求の範囲を補正する内容を含んでおり、本件補正により、特許請求の範囲の請求項１は、
「　印刷装置で印刷された印刷用紙を２つ折りすることで得られる冊子を束ねることにより本が生成される印刷データを生成する印刷制御装置であって、
　前記印刷装置の属性として２つ折りされた冊子の外側の紙から印刷するのか内側の紙から印刷するのかを示す紙設定情報と、２つ折りされた用紙の外側から印刷するのか内側から印刷するのかを示す面設定情報とを認識する認識手段と、
　前記認識手段の認識結果を用いて各冊子においてページ順が昇順または降順にて連続するように前記印刷用紙の各面に配置されるページを決定する決定手段とを有し、
　前記決定手段の決定によって生成される印刷データにおいて先頭で印刷される面を構成するページは、
　　前記２つ折りされた冊子の外側の紙から印刷し、かつ、前記２つ折りされた用紙の外側から印刷する第１の場合、
　　前記２つ折りされた冊子の外側の紙から印刷し、かつ、前記２つ折りされた用紙の内側から印刷する第２の場合、
　　前記２つ折りされた冊子の内側の紙から印刷し、かつ、前記２つ折りされた用紙の外側から印刷する第３の場合、
　　前記２つ折りされた冊子の内側の紙から印刷し、かつ、前記２つ折りされた用紙の内側から印刷する第４の場合、のそれぞれの場合において異なり、
　前記決定手段の決定によって生成される前記印刷データにより生成される本は、前記第１の場合乃至第４の場合のそれぞれにおいて同一であることを特徴とする印刷制御装置。」
から
「　印刷装置で印刷された印刷用紙に対して、前記印刷装置のフィニッシャが２つ折りおよびサドルステッチを施すことで得られる複数の冊子を束ねることにより本を生成するための印刷データを生成する印刷制御装置であって、
　前記印刷装置の属性として２つ折りされた冊子の外側の紙から印刷するのか内側の紙から印刷するのかを示す紙設定情報と、２つ折りされた用紙の外側から印刷するのか内側から印刷するのかを示す面設定情報と、前記フィニッシャの属性として各冊子のどの面が次の冊子と接するかを示す冊子順設定情報と、を認識する認識手段と、
　前記認識手段の認識結果と前記本の見開き方向とを用いて各冊子においてページ順が昇順または降順にて連続し、かつ、所定の冊子の最終ページと次の冊子の先頭ページとが連続するように前記印刷用紙の各面に配置されるページと前記各冊子の出力順とを決定する決定手段とを有し、
　前記決定手段の決定によって生成される印刷データにおいて先頭で印刷される面を構成するページは、
　　前記２つ折りされた冊子の外側の紙から印刷し、かつ、前記２つ折りされた用紙の外側から印刷する第１の場合、
　　前記２つ折りされた冊子の外側の紙から印刷し、かつ、前記２つ折りされた用紙の内側から印刷する第２の場合、
　　前記２つ折りされた冊子の内側の紙から印刷し、かつ、前記２つ折りされた用紙の外側から印刷する第３の場合、
　　前記２つ折りされた冊子の内側の紙から印刷し、かつ、前記２つ折りされた用紙の内側から印刷する第４の場合、のそれぞれの場合において異なり、
　前記決定手段の決定によって生成される前記印刷データにより生成される本は、前記第１の場合乃至第４の場合のそれぞれにおいて同一であり、かつ、前記所定の冊子の最終ページと前記次の冊子の先頭ページとが連続することを特徴とする印刷制御装置。」
に補正された。
　上記補正は、補正前の請求項１に記載した発明を特定するために必要な事項である「印刷装置で印刷された印刷用紙を２つ折りすることで得られる冊子を束ねることにより本が生成される印刷データを生成する印刷制御装置」に関して、「印刷装置のフィニッシャが２つ折りおよびサドルステッチを施すことで得られる複数の冊子を束ねることにより本を生成するための印刷データを生成する」点、「前記印刷装置の属性として２つ折りされた冊子の外側の紙から印刷するのか内側の紙から印刷するのかを示す紙設定情報と、２つ折りされた用紙の外側から印刷するのか内側から印刷するのかを示す面設定情報とを認識する認識手段」に関して、「前記フィニッシャの属性として各冊子のどの面が次の冊子と接するかを示す冊子順設定情報とを認識する」点、「前記認識手段の認識結果を用いて各冊子においてページ順が昇順または降順にて連続するように前記印刷用紙の各面に配置されるページを決定する決定手段」に関して、「前記認識手段の認識結果と前記本の見開き方向とを用いて各冊子においてページ順が昇順または降順にて連続し、かつ、所定の冊子の最終ページと次の冊子の先頭ページとが連続するように前記印刷用紙の各面に配置されるページと前記各冊子の出力順とを決定する」点、及び、「前記決定手段の決定によって生成される印刷データにおいて先頭で印刷される面を構成するページ」に関して、「所定の冊子の最終ページと次の冊子の先頭ページとが連続する」点を限定したものであるから、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　　
２．独立特許要件について
（１）刊行物に記載された発明
（１−１）刊行物１について
　原査定の拒絶の理由に引用文献１として引用された特開２０００−１８７５８０号公報（以下「刊行物１」という。）には、次の記載がある（下線は当審にて付した。以下同じ。）。
　
（１−ａ）「【請求項１】  １つの印刷ジョブに対して、画像形成された印刷媒体に一連の
印刷後処理を実行可能な
印刷装置に接続された印刷ジョブ生成装置
【請求項２】  前記判断手段は、前記１つの印刷ジョブが複数部数の印刷指定をしている場合、前記１つの印刷ジョブを１部数毎の印刷指定となるように前記複数の印刷ジョブに分割すると判断することを特徴とする請求項１記載の印刷ジョブ生成装置。
【請求項３】  前記判断手段は、前記印刷ジョブに対して、前記印刷後処理で処理可能な上限の枚数単位に基づいて、前記印刷ジョブを前記枚数単位で分割するかどうか判断することを特徴とする請求項１又は２記載の印刷ジョブ生成装置。
【請求項４】  前記判断手段は、前記印刷ジョブに対して、任意に指定された枚数単位に基づいて、前記印刷ジョブを前記枚数単位で分割するかどうか判断することを特徴とする請求項１又は２記載の印刷ジョブ生成装置。
【請求項５】  前記判断手段は、判断に用いる前記枚数単位を途中で変更可能であることを特徴とする請求項３又は４記載の印刷ジョブ生成装置。
【請求項６】  前記
印刷後処理は、サドルステッチ処理である
【請求項７】  更に、前記印刷ジョブを前記印刷装置に送信する送信手段を備えることを特徴とする請求項１乃至６記載の印刷ジョブ生成装置。
【請求項８】  前記印刷ジョブ生成装置は、ホストコンピュータであることを特徴とする請求項１乃至７記載の印刷ジョブ生成装置。」
　
（１−ｂ）「【０００２】
【従来の技術】ステープル機能を有する複写機、プリンタなどの印刷装置（ハードウェア）において、サドルステッチと呼ばれるシート処理機能を有する印刷装置がある。
サドルステッチとは、用紙を２つ折りにした際に、折り目に沿った位置にステープルを打つ方法で、ハードウェア内でページを製本の順序に並べて出力する場合に主に使用されている
【０００３】また、複写機をプリンタとして利用するために、プリンタ用のボードを搭載することが可能である。これにより、
コンピュータからの印刷においても、本体側に製本印刷機能をもつハードウェアに関してサドルステッチを併用することが可能である
【０００４】印字したシートの量が多いと、シート処理装置の中綴じ及び中折りの能力が不十分であることから、印刷又はコピーが不可能になっていた。
【０００５】そこで、この種の課題を解決するサドルステッチを備えた画像出力装置として、従来下記の技術が知られている。
【０００６】特開平７−１５７１７８公報記載の技術では、シート処理装置で中綴じすべきシートの枚数が、そのシート処理装置で一度に処理可能なシート枚数よりも多い場合に、正しい頁配列で中綴じした冊子を作成できるよう、画像出力装置において、出力するシートの枚数とシート処理装置が処理可能なシート枚数とを比較して、処理可能なシート枚数に基づいて頁配列を入れ替えて正しい順序で中綴じした冊子を作成できる画像出力装置について記載されている。
【０００７】
【発明が解決しようとする課題】しかし、サドルステッチをはじめとする印刷後処理が、複写あるいは印刷時1ジョブに対して1回という制限を持つ印刷装置（印刷後処理装置）では、複数冊子に分けて出力することができなかった。
複数冊子に分けて出力することができない場合、1度にステープル及び中折りできる用紙枚数は限られており、枚数によっては処理できず、エラーを起こす可能性があった
　
（１−ｃ）「【００３８】
【発明の実施の形態】以下、本発明を適用するのに好適である一実施形態について説明するが、本発明は以下の実施形態に限定されるものではない。
【００３９】図１は、本発明の実施形態の一つであるプリンタ制御システムの構成を説明するブロック図である。なお、
本発明の機能が実行されるのであれば、単体の機器であっても、複数の機器からなるシステムであっても、ＬＡＮ、ＷＡＮ等のネットワークを介して接続が為され処理が行われるシステムであっても本発明を適用できる
　
（１−ｄ）「【００４９】本発明の一実施形態である印刷システムは、図２で示したプリンタとホストコンピュータからなる印刷システムに加えて、更に図３に示すように、アプリケーションからの印刷データを一旦中間コードデータでスプールする構成を有する。
【００５０】図３は、図２のシステムを拡張したもので、グラフィックエンジン２０２からプリンタドライバ２０３へＤＤＩ関数を送る際に、一旦中間コードからなるスプールファイル３０３を生成する構成をとる。図２のシステムでは、アプリケーション２０１が印刷処理から開放されるのはプリンタドライバ２０３がグラフィックエンジン２０２からのすべてのＤＤＩ関数をプリンタの制御コマンドへ変換し終った時点である。これに対して、図３のシステムでは、スプーラ３０２がすべてのＤＤＩ関数を中間コードデータに変換し、スプールファイル３０３に出力した時点である。通常、後者の方が短時間で済む。また、図３で示すシステムにおいては、スプールファイル３０３の内容に対して加工することができる。これによりアプリケーションからの印刷データに対して、拡大縮小や、複数ページを１ページに縮小して印刷する等、アプリケーションの持たない機能を実現する事ができる。
【００５１】これらの目的のために、図２のシステムに対し、図３の様に中間コードデータでスプールする様、システムの拡張がなされてきている。なお、印刷データの加工を行うためには、通常プリンタドライバ２０３が提供するウインドウから設定を行い、プリンタドライバ２０３がその設定内容をＲＡＭ１０２上あるいは外部メモリ１１１上に保管する。
【００５２】以下、図３の詳細を説明する。図に示す通り、この拡張された処理方式では、グラフィックエンジン２０２からのＤＤＩ関数をディスパッチャ３０１が受け取る。ディスパッチャ３０１がグラフィックエンジン２０２から受け取ったＤＤＩ関数が、アプリケーション２０１からグラフィックエンジン２０２へ発行されたＧＤＩ関数の場合には、ディスパッチャ３０１は外部メモリ１１に格納されているスプーラ３０２をＲＡＭ２にロードし、プリンタドライバ２０３ではなくスプーラ３０２へＤＤＩ関数を送付する。
【００５３】スプーラ３０２は受け取ったＤＤＩ関数を中間コードに変換してスプールファイル３０３に出力する。また、スプーラ３０２は、プリンタドライバ２０３に対して設定されている印刷データに関する加工設定をプリンタドライバ２０３から取得してスプールファイル３０３に保存する。なお、スプールファイル３０３は外部メモリ１１１上にファイルとして生成するが、ＲＡＭ２上に生成されても構わない。更にスプーラ３０２は、外部メモリ１１１に格納されているスプールファイルマネージャ３０４をＲＡＭ１０２にロードし、スプールファイルマネージャ３０４に対してスプールファイル３０３の生成状況を通知する。その後、スプールファイルマネージャ３０４は、スプールファイル３０３に保存された印刷データに関する加工設定の内容に従って印刷を行えるか判断する。
【００５４】スプールファイルマネージャ３０４がグラフィックエンジン２０２を利用して印刷を行えると判断した際には、外部メモリ１１１に格納されているデスプーラ３０５をＲＡＭ１０２にロードし、デスプーラ３０５に対して、スプールファイル３０３に記述された中間コードの印刷処理を行うように指示する。
【００５５】デスプーラ３０５はスプールファイル３０３に含まれる中間コードをスプールファイル３０３に含まれる加工設定の内容に従って加工し、ＧＤＩ関数に変換する。そして、グラフィックエンジン２０２でＧＤＩ関数からＤＤＩ関数に変換して出力する。
【００５６】ディスパッチャ３０１がグラフィックエンジン２０２から受け取ったＤＤＩ関数がデスプーラ３０５からグラフィックエンジン２０２へ発行されたＧＤＩ関数を変換したＤＤＩ関数の場合には、ディスパッチャ３０１はスプーラ３０２ではなく、プリンタドライバ２０３にＤＤＩ関数を送る。
【００５７】プリンタドライバ２０３はプリンタ制御コマンド（ＰＤＬなど）を生成し、システムスプーラ２０４経由でプリンタ１５００に出力する。
【００５８】このように、図３の印刷処理システムでは、一旦中間コードに変換した印刷ジョブをデスプーラによってＧＤＩ関数に変換したのち、再びグラフィックエンジンに戻す構成になっている。したがって、図３の印刷処理システムは、３０１乃至３０５の構成をプリンタドライバ毎に変える必要はないという利点もある。
【００５９】
図４は、サドルステッチと併用するのに好適な、製本印刷とその実現結果について説明した一例
【００６０】
製本印刷とは、紙の両面に出力された印刷結果を2つ折りにしたときに、ページ順序があうように印刷ページを並べ替えて印刷された４０１もしくは４０２のようなものである
【００６１】この製本印刷された４０１、４０２は、何らかの方法で４０３、４０４のように2つ折りすれば正しいページ順になるようになっている。製本印刷の設定は、例えば図１８に示すようなダイアログで「製本印刷」をチェックすることによって指定可能である。
【００６２】
製本印刷には
「任意の指定された枚数を製本の枚数単位として印刷する方法」とがある
【００６３】ただし、
ここでいう製本の枚数単位とは、製本印刷で出力された用紙を何枚単位でまとめて2つ折りにすればよいかをあらわす
【００６４】印刷される全ページから製本の枚数単位を求めて印刷する方法の場合は、図４の印刷物４０１のような出力を得て、それをまとめて２つ折りにして本とする。
【００６５】任意の指定された枚数を製本の枚数単位として印刷する方法の場合は、図４の印刷物４０２のような出力を得て、それを枚数単位ごとに２つ折りにし、更にそれを並べて本とする。
【００６６】また、図５に示すように、
製本印刷によって出力される製本の体裁
「左から昇順にページ配置（
左開き
「右から昇順にページ配置（
右開き
【００６７】また、印刷されるページが横向きの場合も、ページの回転を行うだけで、ページの順序は変わらない。
【００６８】これらの設定は、例えば図１９に示すようなダイアログ「開き方向」から設定可能である。
【００６９】本実施形態の印刷システムでは、以上のような製本印刷の種々のやり方に加えて適切なサドルステッチ（シート処理）を行いながら印刷出力を行う。
【００７０】本発明におけるサドルステッチは、例えば図１８の「中とじ」のチェックボックスをONにすることによって実現可能である。」
　
（１−ｅ）「【０１５７】次に、上記に述べたような3通りの製本印刷において、サドルステッチ機能を付加した場合の処理について説明する。
【０１５８】サドルステッチ処理において、サドルステッチ可能なシート処理装置の制限以上の印刷枚数があるときや、任意の枚数単位で分冊したときのサドルステッチ処理など、分冊してサドルステッチ処理する必要がある。
【０１５９】
図１２のように、分冊の方法は
分冊方法２として、任意の指定された枚数を製本の枚数単位として製本印刷したものをそのままサドルステッチ処理して分冊する方法
　
（１−ｆ）図３として、
「
 　　　　　　　　　　　　　　　　　　　　」
　
（１−ｇ）図４として、
「
 　　　　　　　　　　　　　　　　　　　」
　
（１−ｈ）図１２として、
「
 　　　　　　　　　　　　　　　　　　　　　　　　　」
　
　上記の事項をまとめると、刊行物１には、次の発明（以下「刊行物１発明」という。）が開示されていると認められる。
　
「サドルステッチ処理を実行可能な印刷装置に接続された印刷ジョブ生成装置であって、
　左開きか、右開きかの、製本の体裁に基づいて、紙の両面に出力された印刷結果を2つ折りにしたときに、ページ順序があうように印刷ページを並べ替えて出力するとともに、
　１つの印刷ジョブを分割して、任意の指定された枚数を製本の枚数単位として製本印刷したものをそのままサドルステッチ処理して分冊するよう、
印刷ジョブを印刷装置に送信する、印刷ジョブ生成装置。」　
　
（１−２）刊行物２について
　原査定の拒絶の理由に引用文献３として引用された特開平１１−３４８３７１号公報（以下「刊行物２」という。）には、次の記載がある。
　
（２−ａ）「【０００６】
【発明が解決しようとする課題】近年、プリンタに対する機能拡張が益々進められ、
プリンタに装着可能な綴じ処理装置としても１種類に限定されることなく
プリンタから出力された用紙をその中央部で２つ折りにした後にその出力順に束状に積載し、この用紙束の片端部をステイプル処理により綴じる綴じ処理装置、プリンタから出力された用紙をその出力順に束状に積載し、この用紙束の中央部をステイプル処理により綴じた後に用紙束をその中央部で２つ折りにする綴じ処理のいずれでも装着可能なように構成し、綴じ処理装置を選択して装着することにより異なる製本化が可能な画像形成システム
【０００７】本発明の目的は、
装着された綴じ処理装置の綴じ形態に応じた製本化を行うことができる画像形成システム
　
（２−ｂ）「【００７７】次に、上記ステップＳ１３０３の製本印刷モード判別処理について図１４および図１９ないし図２１を参照しながら説明する。図１４は図１３のステップＳ１３０３の製本印刷モード判別処理の手順を示すフローチャート、図１９は製本印刷モード１による処理例を示す図、図２０は製本印刷モード２による処理例を示す図、図２１は製本印刷モード１により製本化された例を示す図である。
【００７８】製本印刷モード判別処理では、図１４に示すように、製本印刷時には、フォーマッタ部４から全ページの画像データを入力して画像メモリ３０７に格納するため、まずステップＳ１４０１において画像メモリ３０７の容量に基づきスプール動作が可能であるか否かを判定する。画像メモリ３０７の容量が十分でなくスプール動作が不可能であるときには、ステップＳ１４０５に進み、製本印刷をしないことを設定する。
【００７９】これに対し、画像メモリ３０７の容量が十分にありスプール動作が可能であるときには、ステップＳ１４０２に進み、現在装着されている排紙部５がどのようなタイプのフィニッシャーであるかを判別する。本実施の形態では、上述したように、排紙部５として、サドルステッチャを搭載したフィニッシャー、または２つ折りユニットとステイプラユニットとを備えたフィニッシャーを装着することが可能であるから、前者のフィニッシャーを装着しているときには製本印刷モード１を行うと判定し、ステップＳ１４０３で、製本印刷モード１を設定する。後者のフィニッシャーを装着しているときには製本印刷モード２を行うと判定し、ステップＳ１４０４で製本印刷モード２を設定する。
【００８０】この
製本印刷モード１
両面印刷により１枚の記録紙の両面にそれぞれ２ページ分の画像を形成し、排紙部５でプリンタ部２から出力された記録紙をその出力順に束状に積載し、この記録紙束の中央部をステイプル処理により綴じた後に用紙束をその中央部で２つ折りにすることにより製本化する
【００８１】
製本印刷モード２
片面印刷機能により、１枚の記録紙の片面に２ページ分の画像を形成し、排紙部５側でプリンタ部２から出力された記録紙をその中央部で２つ折りにした後にその出力順に束状に積載し、この記録紙束の片端部をステイプル処理により綴じることにより製本化する
　
（２−ｃ）「【０１０１】このように、
本実施の形態では、現在装着されている排紙部５がどのような綴じ形態を行うフィニッシャーであるかを判別し、その判別結果に応じて製本印刷モード１または製本印刷モード２のいずれかを設定し、設定された製本印刷モードに応じて画像の並び替えおよびそのレイアウトを変更するから、装着された綴じ排紙部５の綴じ形態に応じた製本化を行うことができる
　
　上記の事項をまとめると、刊行物２には、複数種類のフィニッシャーが装着可能な製本印刷装置において、装着されたフィニッシャーの綴じ形態に応じた製本化を行うことを目的とした、次の発明（以下「刊行物２発明」という。）が開示されていると認められる。
　
「装着されているフィニッシャーがどのような綴じ形態を行うものかを判別し、その判別結果に応じて、両面印刷により１枚の記録紙の両面にそれぞれ２ページ分の画像を形成し、２つ折りとサドルステッチを行う製本印刷モード、または、１枚の記録紙の片面に２ページ分の画像を形成し、２つ折りにした後に片端部をステイプルする製本印刷モードのいずれかを設定し、設定された製本印刷モードに応じて画像の並び替えおよびそのレイアウトを変更する、製本印刷制御装置。」　
　
（２）対比
　本願補正発明と刊行物１発明とを対比する。
　
ア　刊行物１には「サドルステッチとは、用紙を２つ折りにした際に、折り目に沿った位置にステープルを打つ方法」（上記摘記事項（１−ｂ）【０００２】参照。）と記載されているから、
　刊行物１発明における「サドルステッチ処理」は、本願補正発明における「２つ折りおよびサドルステッチ」に相当し、
　刊行物１発明における「サドルステッチ処理を実行可能な印刷装置」は、本願補正発明における「印刷装置で印刷された印刷用紙に対して、前記印刷装置のフィニッシャが２つ折りおよびサドルステッチを施す（印刷装置）」に相当する。
　
イ　刊行物１発明における「サドルステッチ処理を実行可能な印刷装置に接続された印刷ジョブ生成装置」は、「１つの印刷ジョブを分割して、任意の指定された枚数を製本の枚数単位として製本印刷したものをそのままサドルステッチ処理して分冊するよう、印刷ジョブを印刷装置に送信する」ものであるから、本願補正発明における「印刷装置で印刷された印刷用紙に対して、前記印刷装置のフィニッシャが２つ折りおよびサドルステッチを施すことで得られる複数の冊子を束ねることにより本を生成するための印刷データを生成する印刷制御装置」に相当する。
　
ウ　刊行物１発明の「左開きか、右開きかの、製本の体裁に基づいて、紙の両面に出力された印刷結果を2つ折りにしたときに、ページ順序があうように印刷ページを並べ替えて出力するとともに、１つの印刷ジョブを分割して、任意の指定された枚数を製本の枚数単位として製本印刷したものをそのままサドルステッチ処理して分冊する」構成は、すなわち、そのための決定手段を有しているのであるから、
　刊行物１発明の該構成と、
　本願補正発明の「前記認識手段の認識結果と前記本の見開き方向とを用いて各冊子においてページ順が昇順または降順にて連続し、かつ、所定の冊子の最終ページと次の冊子の先頭ページとが連続するように前記印刷用紙の各面に配置されるページと前記各冊子の出力順とを決定する決定手段」とは、
「本の見開き方向に基づいて各冊子においてページ順が昇順または降順にて連続するように前記印刷用紙の各面に配置されるページを決定する決定手段」の点で共通する。
　
エ　上記ア〜ウから、本願補正発明と刊行物１発明とは、
「印刷装置で印刷された印刷用紙に対して、前記印刷装置のフィニッシャが２つ折りおよびサドルステッチを施すことで得られる複数の冊子を束ねることにより本を生成するための印刷データを生成する印刷制御装置であって、
　本の見開き方向に基づいて各冊子においてページ順が昇順または降順にて連続するように前記印刷用紙の各面に配置されるページを決定する決定手段を有する、印刷制御装置。」
の点で一致し、以下の点で相違する。
　
［相違点］：
　本願補正発明は、「前記印刷装置の属性として２つ折りされた冊子の外側の紙から印刷するのか内側の紙から印刷するのかを示す紙設定情報と、２つ折りされた用紙の外側から印刷するのか内側から印刷するのかを示す面設定情報と、前記フィニッシャの属性として各冊子のどの面が次の冊子と接するかを示す冊子順設定情報と、を認識する認識手段」を備えており、「本の見開き方向に基づいて各冊子においてページ順が昇順または降順にて連続するように前記印刷用紙の各面に配置されるページを決定する決定手段」が、「前記認識手段の認識結果と前記本の見開き方向とを用いて各冊子においてページ順が昇順または降順にて連続し、かつ、所定の冊子の最終ページと次の冊子の先頭ページとが連続するように前記印刷用紙の各面に配置されるページと前記各冊子の出力順とを決定する」ものであって、かつ、「前記決定手段の決定によって生成される印刷データにおいて先頭で印刷される面を構成するページは、
　　前記２つ折りされた冊子の外側の紙から印刷し、かつ、前記２つ折りされた用紙の外側から印刷する第１の場合、
　　前記２つ折りされた冊子の外側の紙から印刷し、かつ、前記２つ折りされた用紙の内側から印刷する第２の場合、
　　前記２つ折りされた冊子の内側の紙から印刷し、かつ、前記２つ折りされた用紙の外側から印刷する第３の場合、
　　前記２つ折りされた冊子の内側の紙から印刷し、かつ、前記２つ折りされた用紙の内側から印刷する第４の場合、のそれぞれの場合において異なり、
　前記決定手段の決定によって生成される前記印刷データにより生成される本は、前記第１の場合乃至第４の場合のそれぞれにおいて同一であり、かつ、前記所定の冊子の最終ページと前記次の冊子の先頭ページとが連続する」のに対し、
　刊行物１発明は、「認識手段」を有する点、「前記認識手段の認識結果と前記本の見開き方向とを用いて各冊子においてページ順が昇順または降順にて連続し、かつ、所定の冊子の最終ページと次の冊子の先頭ページとが連続するように前記印刷用紙の各面に配置されるページと前記各冊子の出力順とを決定する」点、及び、「前記決定手段の決定によって生成される前記印刷データにより生成される本は、前記第１の場合乃至第４の場合のそれぞれにおいて同一であり、かつ、前記所定の冊子の最終ページと前記次の冊子の先頭ページとが連続する」点についての特定がない点。
　　
（３）判断
　上記相違点について検討する。
ア　まず、複数種類の印刷装置を制御するために、印刷装置の排紙がフェイスダウンかフェイスアップかという、印刷装置の排紙形態を認識する認識手段を有するとともに、排紙された用紙がページ順となるよう、該認識手段の認識結果に基づいて、印刷用紙の各面に配置されるページを決定することは、従来周知の技術である（例．原査定で提示された特開平２−２６５７６７号公報（プリンタ印刷面排出方向情報取得手段、排出順序指示手段を備えた点。）及び特開平１０−１４９２６３号公報（段落【０００３】【０００４】【００６８】〜【００７０】参照。）に加えて、特開平１１−２５９２５４号公報（段落【００１１】参照。）、特開２０００−９４８０８号公報（段落【００４０】〜【００４３】【００５４】【００５５】参照。））。
　 
イ　そして、刊行物１発明において、「左開きか、右開きかの、製本の体裁に基づいて、紙の両面に出力された印刷結果を2つ折りにしたときに、ページ順序があうように印刷ページを並べ替えて出力する」のであるから、印刷装置の排紙がフェイスダウンかフェイスアップかという、「印刷装置の排紙形態」に加えて、印刷された用紙に対してどちら側に２つ折りするかという、「フィニッシャの形態」を踏まえた上で、印刷用紙の各面に配置されるページが決定されていることは明らかである。
　
ウ　また、刊行物１には、「本発明の機能が実行されるのであれば、単体の機器であっても、複数の機器からなるシステムであっても、ＬＡＮ、ＷＡＮ等のネットワークを介して接続が為され処理が行われるシステムであっても本発明を適用できる。」（上記摘記事項（１−ｃ）【００３９】参照。）とあるとおり、「複数の機器からなるシステム」、「ネットワークを介して接続が為され処理が行われるシステム」への適用が記載されている。
　 
エ　一方、刊行物２には、複数種類のフィニッシャーが装着可能な製本印刷装置において、装着されたフィニッシャーの綴じ形態に応じた製本化を行うことを目的とした、
「装着されているフィニッシャーがどのような綴じ形態を行うものかを判別し、その判別結果に応じて、両面印刷により１枚の記録紙の両面にそれぞれ２ページ分の画像を形成し、２つ折りとサドルステッチを行う製本印刷モード、または、１枚の記録紙の片面に２ページ分の画像を形成し、２つ折りにした後に片端部をステイプルする製本印刷モードのいずれかを設定し、設定された製本印刷モードに応じて画像の並び替えおよびそのレイアウトを変更する、製本印刷制御装置。」という発明が記載されている（上記「２．（１−２）」参照。）。
　
オ　上記ア〜エから、刊行物１発明において、接続されている印刷装置に応じた製本化を行うことを目的として、印刷装置の排紙形態及びフィニッシャの形態を認識する認識手段を設けるとともに、該印刷装置の排紙形態及び該フィニッシャの形態に応じて、印刷用紙の各面に配置されるページを決定することは、当業者が刊行物２発明及び上記アの周知技術に基づいて容易になし得たことである。 
　
カ　上記オにおいて、排紙がフェイスアップかフェイスダウンかの「印刷装置の排紙形態」とは、すなわち、「２つ折りされた冊子の外側の紙から印刷するのか内側の紙から印刷するのかを示す紙設定情報」であり、また、印刷された用紙に対してどちら側に２つ折りするかという「フィニッシャの形態」とは、すなわち、「２つ折りされた用紙の外側から印刷するのか内側から印刷するのかを示す面設定情報」である。
　そして、この「排紙形態」（２つ折りされた冊子の外側の紙から印刷するのか内側の紙から印刷するのかを示す紙設定情報）と「フィニッシャの形態」（２つ折りされた用紙の外側から印刷するのか内側から印刷するのかを示す面設定情報）とによって、４通りに場合分けがなされるが、これら全ての場合において製本されたものは所望の体裁のページ順となっていなければならないから、４通りの全ての場合において、生成される本が同一となるように制御することは当業者が当然行うべき事項である。
　また、上記４通りの場合において、最初に印刷されるのは、「２つ折りされた冊子の外側の紙であって、２つ折りされた用紙の外側」、「２つ折りされた冊子の外側の紙であって、２つ折りされた用紙の内側」、「２つ折りされた冊子の内側の紙であって、２つ折りされた用紙の外側」、「２つ折りされた冊子の内側の紙であって、２つ折りされた用紙の内側」の４通りとなるから、それぞれの場合において、先頭で印刷される面を構成するページが異なることも、当然のことである。
　そうすると、本願補正発明における「前記決定手段の決定によって生成される印刷データにおいて先頭で印刷される面を構成するページは、
　　前記２つ折りされた冊子の外側の紙から印刷し、かつ、前記２つ折りされた用紙の外側から印刷する第１の場合、
　　前記２つ折りされた冊子の外側の紙から印刷し、かつ、前記２つ折りされた用紙の内側から印刷する第２の場合、
　　前記２つ折りされた冊子の内側の紙から印刷し、かつ、前記２つ折りされた用紙の外側から印刷する第３の場合、
　　前記２つ折りされた冊子の内側の紙から印刷し、かつ、前記２つ折りされた用紙の内側から印刷する第４の場合、のそれぞれの場合において異なり、
　前記決定手段の決定によって生成される前記印刷データにより生成される本は、前記第１の場合乃至第４の場合のそれぞれにおいて同一」である点は、上記当然の事項を規定したにすぎない。
　
キ　さらに、２つ折り後サドルステッチが施された冊子が、排紙トレイ上に排出されたそのままの状態で製本が可能となるように、「所定の冊子の最終ページと次の冊子の先頭ページとが連続する」よう制御する構成、すなわち、「フィニッシャの属性として各冊子のどの面が次の冊子と接するかを示す冊子順設定情報」に基づいて「各冊子の出力順を決定する」ことも、ユーザの利便性を考慮して、当業者が適宜採用できる自明の技術的事項である（必要ならば、特開昭６２−２１１１４９号公報、第２２頁右上欄、第３１図参照。）。
　 
ク　上記オ〜キから、刊行物１発明において、「前記印刷装置の属性として２つ折りされた冊子の外側の紙から印刷するのか内側の紙から印刷するのかを示す紙設定情報と、２つ折りされた用紙の外側から印刷するのか内側から印刷するのかを示す面設定情報と、前記フィニッシャの属性として各冊子のどの面が次の冊子と接するかを示す冊子順設定情報と、を認識する認識手段」を備えており、「本の見開き方向に基づいて各冊子においてページ順が昇順または降順にて連続するように前記印刷用紙の各面に配置されるページを決定する決定手段」が、「前記認識手段の認識結果と前記本の見開き方向とを用いて各冊子においてページ順が昇順または降順にて連続し、かつ、所定の冊子の最終ページと次の冊子の先頭ページとが連続するように前記印刷用紙の各面に配置されるページと前記各冊子の出力順とを決定する決定手段」ものであって、かつ、「前記決定手段の決定によって生成される印刷データにおいて先頭で印刷される面を構成するページは、
　　前記２つ折りされた冊子の外側の紙から印刷し、かつ、前記２つ折りされた用紙の外側から印刷する第１の場合、
　　前記２つ折りされた冊子の外側の紙から印刷し、かつ、前記２つ折りされた用紙の内側から印刷する第２の場合、
　　前記２つ折りされた冊子の内側の紙から印刷し、かつ、前記２つ折りされた用紙の外側から印刷する第３の場合、
　　前記２つ折りされた冊子の内側の紙から印刷し、かつ、前記２つ折りされた用紙の内側から印刷する第４の場合、のそれぞれの場合において異なり、
　前記決定手段の決定によって生成される前記印刷データにより生成される本は、前記第１の場合乃至第４の場合のそれぞれにおいて同一であり、かつ、前記所定の冊子の最終ページと前記次の冊子の先頭ページとが連続する」構成を採用することは、当業者が刊行物２発明及び上記アの周知技術に基づいて容易になし得たことである。 
　
（３−３）本願補正発明が奏する効果について
　上記相違点によって、本願補正発明が奏する効果は、刊行物１〜２に記載された事項及び周知技術から当業者が予測し得る程度のものであって、格別のものではない。
　
（４）まとめ
　以上のように、本願補正発明は、当業者が刊行物１〜２に記載された発明及び周知技術に基づいて容易に発明をすることができたものであり、特許法第２９条第２項の規定により、特許出願の際独立して特許を受けることができない。
　
３．補正却下の決定についてのむすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３．本願発明について
１．本願発明
　平成２０年１２月１０日付けの手続補正は上記のとおり却下されたので、本願の請求項１〜１２に係る発明は、平成２０年７月１日付けの手続補正によって補正された特許請求の範囲の請求項１〜１２に記載された事項により特定されるものであり、特に、請求項１に係る発明（以下「本願発明」という。）は、次のとおりである。
「　印刷装置で印刷された印刷用紙を２つ折りすることで得られる冊子を束ねることにより本が生成される印刷データを生成する印刷制御装置であって、
　前記印刷装置の属性として２つ折りされた冊子の外側の紙から印刷するのか内側の紙から印刷するのかを示す紙設定情報と、２つ折りされた用紙の外側から印刷するのか内側から印刷するのかを示す面設定情報とを認識する認識手段と、
　前記認識手段の認識結果を用いて各冊子においてページ順が昇順または降順にて連続するように前記印刷用紙の各面に配置されるページを決定する決定手段とを有し、
　前記決定手段の決定によって生成される印刷データにおいて先頭で印刷される面を構成するページは、
　　前記２つ折りされた冊子の外側の紙から印刷し、かつ、前記２つ折りされた用紙の外側から印刷する第１の場合、
　　前記２つ折りされた冊子の外側の紙から印刷し、かつ、前記２つ折りされた用紙の内側から印刷する第２の場合、
　　前記２つ折りされた冊子の内側の紙から印刷し、かつ、前記２つ折りされた用紙の外側から印刷する第３の場合、
　　前記２つ折りされた冊子の内側の紙から印刷し、かつ、前記２つ折りされた用紙の内側から印刷する第４の場合、のそれぞれの場合において異なり、
　前記決定手段の決定によって生成される前記印刷データにより生成される本は、前記第１の場合乃至第４の場合のそれぞれにおいて同一であることを特徴とする印刷制御装置。」
　
２．引用刊行物
　これに対して、原査定の拒絶の理由に引用された引用された刊行物１〜２、及び、その記載事項は、前記第２．２．（１−ａ）〜（２−ｃ）で示したとおりである。
　
３．対比・判断
　本願発明は、上記第２．２．で検討した本願補正発明から、「印刷装置で印刷された印刷用紙を２つ折りすることで得られる冊子を束ねることにより本が生成される印刷データを生成する印刷制御装置」に関して、「印刷装置のフィニッシャが２つ折りおよびサドルステッチを施すことで得られる複数の冊子を束ねることにより本を生成するための印刷データを生成する」との限定、「前記印刷装置の属性として２つ折りされた冊子の外側の紙から印刷するのか内側の紙から印刷するのかを示す紙設定情報と、２つ折りされた用紙の外側から印刷するのか内側から印刷するのかを示す面設定情報とを認識する認識手段」に関して、「前記フィニッシャの属性として各冊子のどの面が次の冊子と接するかを示す冊子順設定情報とを認識する」との限定、及び、「前記認識手段の認識結果を用いて各冊子においてページ順が昇順または降順にて連続するように前記印刷用紙の各面に配置されるページを決定する決定手段」に関して、「前記認識手段の認識結果と前記本の見開き方向とを用いて各冊子においてページ順が昇順または降順にて連続し、かつ、所定の冊子の最終ページと次の冊子の先頭ページとが連続するように前記印刷用紙の各面に配置されるページと前記各冊子の出力順とを決定する」との限定を削除したものである。
　
　そうすると、本願発明の特定事項を全て含み、さらに他の特定事項を付加したものに相当する本願補正発明が、上記第２．２．に記載したとおり、刊行物１〜２に記載された発明及び周知技術に基づいて当業者が容易に発明をすることができたものであるから、本願発明も、同様の理由により、当業者が刊行物１〜２に記載された発明及び周知技術に基づいて容易に発明をすることができたものである。
　
４．むすび
　以上のとおり、本願の請求項１に係る発明は、当業者が刊行物１〜２に記載された発明及び周知技術に基づいて容易に発明をすることができたものであるから、特許法第２９条第２項の規定により特許を受けることができない。
　したがって、その他の請求項に係る発明について検討するまでもなく、本願は拒絶すべきものである。
　
　よって、結論のとおり審決する。